【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
運転者の血中アルコール濃度に基づき乗物の運転を制御するための装置であって、
前記装置は、
前記運転者の血中アルコール濃度を表す第１の電気的信号を発生するように構成されたセンサを備える検出装置であって、前記第１の電気的信号は、実質的に乗物の運転席側またはその近傍における３次元領域として定義された所定の乗物領域の内部の空気のアルコール濃度を測定することによって生成され、前記検出装置は、前記検出装置に対する運転者のいかなる操作にも依存しないで空気中のアルコール濃度を測定するように構成されている、検出装置と、
前記検出装置に電気的に結合された制御装置と、
モバイル機器検出装置であって、前記モバイル機器検出装置は、前記所定の乗物領域の内部に配置されているモバイル機器の存在を検出するように構成されており、前記所定の乗物領域の内部の前記モバイル機器の存在を検出すると、第２の電気信号を前記制御装置に送信するように構成されている、モバイル機器検出装置と、
前記制御装置が、前記制御装置によって前記センサから受信された前記第１の電気的信号および前記モバイル機器検出装置から受信された前記第２の電気的信号に応答して少なくとも１つの乗物の動作を制御するように構成されている、装置。
【請求項２】
乗物の運転状態を表す状態信号を発生するための乗物状態検出装置を備える請求項１に記載の装置。
【請求項３】
前記状態信号が、停まっている乗物を表すときに、前記制御装置は、イグニッションシステム、燃料システム、およびトランスミッションシステムのうちの少なくとも１つの動作を妨げる請求項２に記載の装置。
【請求項４】
前記状態信号が、動いている乗物を表すときに、前記制御装置は、クラクション、乗物の方向指示器、および警告音のうちの少なくとも１つをアクティブ化する請求項２に記載の装置。
【請求項５】
前記所定の乗物領域から空気を取り入れるための空気取り入れ口を備える請求項１に記載の装置。
【請求項６】
前記センサは、燃料電池センサを含む請求項１に記載の装置。
【請求項７】
前記燃料電池センサは、
第１および第２の白金電極と、
前記第１の白金電極と前記第２の白金電極との間に配置されている多孔質酸電解質と、
前記第１の白金電極と前記第２の白金電極との間に直列に接続されている電流計とを備える請求項６に記載の装置。
【請求項８】
前記センサは、酸化物半導体センサを含む請求項１に記載の装置。
【請求項９】
前記酸化物半導体センサは、
プリント回路基板と、
前記プリント回路基板に動作可能に装着された呼気アルコールセンサと、
前記プリント回路基板に動作可能に装着され、前記呼気アルコールセンサを所定の温度に加熱する、加熱ユニットとを備える請求項８に記載の装置。
【請求項１０】
前記センサは、赤外線分光センサを含む請求項１に記載の装置。
【請求項１１】
前記赤外線分光センサは、
入口ポートと出口ポートを備え、サンプルチャンバを画成するハウジングと、
広帯域赤外線を発生するように構成されているランプと、
１つまたは複数の狭帯域フィルタを備えるフィルタホイールと、
１つまたは複数の光電セルとを備え、前記広帯域赤外線は、前記サンプルチャンバ、前記フィルタホイール、および前記１つまたは複数の光電セル内を通過する請求項１０に記載の装置。
【請求項１２】
前記所定の乗物領域は、前記乗物の前記運転者を囲むが、前記乗物の乗客領域を除外する空気の容積として画成される請求項１に記載の装置。
【請求項１３】
運転者の血中アルコール濃度に基づき乗物の運転を制御するためのシステムであって、
前記システムは、
モバイル機器からの無線信号を受信するように構成された制御装置であって、前記無線信号は、前記モバイル機器の内部に配置されているアルコールセンサによって判定されるような前記モバイル機器のユーザの血中アルコール濃度を表す、制御装置と、
モバイル機器検出装置であって、前記モバイル機器検出装置は、所定の乗物領域の内部に配置されているモバイル機器の存在を検出するように構成されており、前記モバイル機器の存在を検出すると、信号を前記制御装置に送信するように構成されている、モバイル機器検出装置と、
前記制御装置は、前記無線信号および前記モバイル機器検出装置からの信号に応答して１つまたは複数の乗物の動作を制御するように構成されている、システム。
【請求項１４】
乗物の運転状態を表す状態信号を発生するための乗物状態検出装置を備える請求項１３に記載のシステム。
【請求項１５】
前記状態信号が、停まっている乗物を表すときに、前記制御装置は、イグニッションシステム、燃料システム、およびトランスミッションシステムのうちの少なくとも１つの動作を妨げる請求項１４に記載のシステム。
【請求項１６】
前記状態信号が、動いている乗物を表すときに、前記制御装置は、クラクション、乗物の方向指示器、および警告音のうちの少なくとも１つをアクティブ化する請求項１４に記載のシステム。
【請求項１７】
酔っ払っている人物による乗物の運転を防止するための方法であって、
前記方法は、
所定の乗物領域の内部に配置されているモバイル機器の存在を検出するステップと、
前記モバイル機器の存在を検出すると第１の信号を制御装置に送信するステップと、
センサを介して人物の血中アルコール濃度を検出するステップであって、前記検出するステップは、実質的に乗物の運転席側またはその近傍における３次元領域として定義された所定の乗物領域の内部の一定量の空気中の前記アルコール濃度をテストすることによって実行され、前記センサに対する運転者の操作に依存しないで実行される、ステップと、
前記センサによって、少なくとも１つの乗物の動作を制御するように構成されている制御装置に第２の信号を送信するステップと、
前記制御装置によって、前記第１の信号と前記第２の信号に応答して、前記少なくとも１つの乗物の動作を制御して前記乗物の運転を制御するステップとを含む方法。
【請求項１８】
前記センサが所定の限度を超える血中アルコール濃度を検出したときの前記センサによる信号送信を含む請求項１７に記載の方法。
【請求項１９】
乗物状態検出装置を介して、乗物の運転状態を表す状態信号を発生するステップを含む請求項１７に記載の方法。
【請求項２０】
前記制御装置を介して、前記状態信号が停まっている乗物を表すときに前記少なくとも１つの乗物の動作のアクティブ化を防止するステップを含む請求項１９に記載の方法。
【請求項２１】
前記少なくとも１つの乗物の動作は、イグニションシステム、トランスミッションシステム、および燃料システムを含む請求項２０に記載の方法。
【請求項２２】
前記制御装置を介して、前記状態信号が動いている乗物を表すときに前記少なくとも１つの動作をアクティブ化するステップを含む請求項１９に記載の方法。
【請求項２３】
前記少なくとも１つの乗物の動作は、クラクション、乗物の照明システム、および警告音システムを含む請求項２２に記載の方法。
【手続補正２】
【補正対象書類名】明細書
【補正対象項目名】００８７
【補正方法】変更
【補正の内容】
【００８７】
上記では、実施形態の特定の特徴が図示されているが、多くの修正形態、置換形態、変更形態および均等形態が、当業者には想起されるであろう。従って、添付の特許請求の範囲は、開示された実施形態の範囲内に入るような、全ての修正形態および変更形態をカバーするものと理解されるべきである。
本明細書に記載の技術は、下記の項目１〜項目２３に記載の技術を含んでいてもよい。
［項目１］
運転者の血中アルコール濃度に基づき乗物の運転を制御するための装置であって、
前記運転者の血中アルコール濃度を表す電気的信号を発生するためのセンサを備える検出モジュールであって、前記電気的信号は、所定の乗物領域の内部の空気のアルコール濃度を測定することによって生成される検出モジュールと、
前記検出モジュールに電気的に結合された制御モジュールであって、前記センサから前記制御モジュールによって受信された前記電気的信号に応答して少なくとも１つの乗物の運転を制御する、制御モジュールとを備える装置。
［項目２］
乗物の運転状態を表す状態信号を発生するための乗物状態検出モジュールを備える項目１に記載の装置。
［項目３］
前記状態信号が、停まっている乗物を表すときに、前記制御モジュールは、イグニッションシステム、燃料システム、およびトランスミッションシステムのうちの少なくとも１つの動作を妨げる項目２に記載の装置。
［項目４］
前記状態信号が、動いている乗物を表すときに、前記制御モジュールは、クラクション、乗物の方向指示器、および警告音のうちの少なくとも１つをアクティブ化する項目２に記載の装置。
［項目５］
前記所定の乗物領域から空気を取り入れるための空気取り入れ口を備える項目１に記載の装置。
［項目６］
前記センサは、燃料電池センサを含む項目１に記載の装置。
［項目７］
前記燃料電池センサは、
第１および第２の白金電極と、
前記第１の白金電極と前記第２の白金電極との間に配置されている多孔質酸電解質と、
前記第１の白金電極と前記第２の白金電極との間に直列に接続されている電流計とを備える項目６に記載の装置。
［項目８］
前記センサは、酸化物半導体センサを含む項目１に記載の装置。
［項目９］
前記酸化物半導体センサは、
プリント基板と、
前記プリント基板に動作可能に装着された呼気アルコールセンサと、
前記プリント基板に動作可能に装着され、前記呼気アルコールセンサを所定の温度に加熱する、加熱ユニットとを備える項目８に記載の装置。
［項目１０］
前記センサは、赤外線分光センサを含む項目１に記載の装置。
［項目１１］
前記赤外線分光センサは、
入口ポート、出口ポートを備え、サンプルチャンバを画成するハウジングと、
広帯域赤外線を発生するように構成されているランプと、
１つまたは複数の狭帯域フィルタを備えるフィルタホイールと、
１つまたは複数の光電セルとを備え、前記広帯域赤外線は、前記サンプルチャンバ、前記フィルタホイール、および前記１つまたは複数の光電セル内を通過する項目１０に記載の装置。
［項目１２］
前記所定の乗物領域は、前記乗物の前記運転者を囲むが、前記乗物の乗客領域を除外する容積部として画成される項目１に記載の装置。
［項目１３］
運転者の血中アルコール濃度に基づき乗物の運転を制御するためのシステムであって、
モバイル機器からの無線信号に応答する、制御モジュールであって、前記無線信号は、前記モバイル機器の内部に配置されているアルコールセンサによって判定されるような前記モバイル機器のユーザの血中アルコール濃度を表し、前記制御モジュールは、１つまたは複数の乗物の運転を制御するように構成される、制御モジュールを備えるシステム。
［項目１４］
乗物の運転状態を表す状態信号を発生するための乗物状態検出モジュールを備える項目１３に記載のシステム。
［項目１５］
前記状態信号が、停まっている乗物を表すときに、前記制御モジュールは、イグニッションシステム、燃料システム、およびトランスミッションシステムのうちの少なくとも１つの動作を妨げる項目１４に記載のシステム。
［項目１６］
前記状態信号が、動いている乗物を表すときに、前記制御モジュールは、クラクション、乗物の方向指示器、および警告音のうちの少なくとも１つをアクティブ化する項目１４に記載のシステム。
［項目１７］
酔っ払っている人物による乗物の運転を防止するための方法であって、
センサを介して、人物の血中アルコール濃度を検出するステップであって、前記検出するステップは、所定の乗物領域の内部の一定量の空気の前記アルコール濃度をテストすることによって実行される、ステップと、
前記センサによって、少なくとも１つの乗物の運転を制御するように構成されている制御モジュールの信号伝送を行うステップと、
前記制御モジュールによって、前記少なくとも１つの乗物の運転を制御して前記乗物の動作を制御するステップとを含む方法。
［項目１８］
前記センサが所定の限度を超える血中アルコール濃度を検出したときの前記センサによる信号伝送を含む項目１７に記載の方法。
［項目１９］
乗物状態検出モジュールを介して、乗物の運転状態を表す状態信号を発生するステップを含む項目１７に記載の方法。
［項目２０］
前記制御モジュールを介して、前記状態信号が停まっている乗物を表すときの前記少なくとも１つの乗物の運転のアクティブ化を防止するステップを含む項目１９に記載の方法。
［項目２１］
前記少なくとも１つの乗物の運転は、イグニションシステム、トランスミッションシステム、および燃料システムを含む項目２０に記載の方法。
［項目２２］
前記制御モジュールを介して、前記状態信号が動いている乗物を表すときの前記少なくとも１つの運転をアクティブ化するステップを含む項目１９に記載の方法。
［項目２３］
前記少なくとも１つの乗物の運転は、クラクション、乗物の照明システム、および警告音システムを含む項目２２に記載の方法。